(57)【要約】      （修正有）【課題】ストローと紙パックを一体化させる事により、使い勝手のよい紙パックを提供する。【解決手段】牛乳やジュース等の飲料に用いられる紙パック３において、紙パックの口を糊代部分において封止する際に、ストロー４を、紙パックに差し込み、糊代部分に接着することで、ストローと、紙パックを一体化したことを特徴とし、さらに紙パックを封止した際に、紙パックに添うように延出し、紙パックの折り目２に達したストローを、折り目から反対側に折り返し、テープ５で封止したことを特徴とする。【選択図】図５
0003185648.tif 000002
【実用新案登録請求の範囲】
【請求項１】
牛乳やジュース等の飲料に用いられる紙パック（３）において、ストロー（４）を紙パックの内側に設けて、紙パックの口（１０）を機械的に閉じることにより、紙パックとストローを一体化した事を特徴とする紙パック
【請求項２】
ストローの中を通過して侵入する空気を遮断するために、紙パック（３）の外に顔を出しているストロー（４）の吸い口（７）を、図４に示す折り目（２）より１８０°反対側に曲げて、テープ（５）で封印することにより、空気の侵入を完全に食い止めた事を特徴とする請求項１記載の紙パック
【考案の詳細な説明】
【産業上の利用分野】
【０００１】  コンビニやスーパー等で販売されている紙パック入りの牛乳やジュースを飲む際に、紙パックに取り付けられているストローを利用します、しかし、ストローを上手に差し込む事が出来なかったり、力が入りすぎて中身の飲料が飛び出して衣服を汚してしまう事があります、本考案はこの様な不便を解消するために、飲料を吸い込むために使用するストローを、紙パックの外から突き刺して利用する方法では無く、紙パックの口を機械的に接着する工程で、ストローを紙パック内部に施し設けて、ストローと紙パックを一体化させる事により、前述の不便を解消した紙パックを提供しようとするものである。
【従来の方法】
【０００２】  従来では、牛乳やジュウス等の飲料に使用されている紙パックには、小さなビニール袋に入れられたストローが紙パックの外側に貼り付けられています、ストローは自らの長さ不足を補うために二重構造になっており、引き伸ばして使用するようになっています、従来の紙パックを手に持つ利用者は、ストローの入っているビニール袋を紙パックより剥がしとり、ビニール袋からストローを取り出し、さらに、ストローを引き伸ばして紙パックの上部に設けられている、ストローの挿入口となる穴に突き刺して使用しなければなりませんでした、これらの作業は厄介で時には差し込む際に力が入り過ぎ、ジュース等の飲料が飛び出して手や衣服を汚してしまう事がありました。
【考案が解決しようとする課題】
【０００３】  考案が解決しようとする課題を整理すると次の３項目にまとめることができる
【０００４】  ▲１▼当考案の紙パックは、図２で示すようにパックの口（１０）を閉じる作業工程で、ストロー（４）を紙パック（３）の内側に差し込んで、糊代（１）を接着することでストローと紙パックを一体化させます、この時にストローと紙パック（３）の接合部（９）に小さな隙間が生じる可能性は高いものがあります、飲料の詰め込まれた紙パック（３）は、空気漏れを生じて品痛みを発生するような事が絶対にあってはなりません。
【０００５】  ▲２▼紙パックの口（１０）の糊代（１）が接着され、紙パック（３）とストロー（４）は一体化されますが、ストローの吸い口（７）から空気が侵入することがあってはならず、ストロー（４）に栓の機能をもたさねばなりません、利用者が開封して吸飲するまでストローは密栓されていなければならないのです。
【０００６】  ▲３▼ストローは紙パックと一体化しているがために動きの自由が制約されます、したがって飲料を飲み終えた時に、紙パックの底の部分に飲み残しが生じないようにしなければならない。
【課題を解決するための手段】
【０００７】  図２で示すように糊代（１）を接着して、ストロー（４）と紙パック（３）を一体化させる作業工程で、接合部（９）に強力な接着剤を塗り付けてから、高圧と高熱を加えて紙パックの口（１０）を機械的に閉じることにより、ストローと紙パックとの接合部（９）が密着されますので、わずかな隙間から空気漏れが生じることを防ぎ▲１▼の課題を解決した、次に接着された糊代（１）は、図３で示すように手前に倒され、その両端は強制的に曲げられ折り畳み部（８）が、紙パックの左右側面に貼り付けられます、この時にストローの吸い口（７）は紙パック（３）の外にはみ出していますが、続いての工程でストロー（４）は、図４で示すようにストローの折り目（２）より反対側に向けて１８０°折り曲げられます、次に図５で示すようにテープ（５）で封印します、折り曲げられたストローの折り目（２）は栓の役目をしますので、ストロー（４）の中を通過して侵入する空気を完璧に阻止します。更に、紙パック（３）内部に設けたストローの先（１１）は，図９に示すように先の部分を、紙パックの底の端におし当て斜めに設けましたので、飲むときに紙パック（３）の角度を調整すれば、紙パック内の飲料が残らずに吸い上げられるのです。
【考案を実施するための形態】
【０００８】  紙パックに入った飲料を飲むときは、図４、に示す紙パックの両側に付いている糊代の折り畳み部（８）を剥がし，次に図５に示すように、ストロー（４）の吸い口部（７）を封印しているテープ（５）のつまみ（６）を指で摘んで剥がしとります、この時に１８０°に折り畳まれているストローは解放されて、図２に示す様な元の状態に戻すことができます、この瞬間に紙パック（３）の密栓が解かれますので、ストローの吸い口（７）から簡単に飲料を飲む事ができます。
【考案の効果】
【０００９】  本考案は上述の通り構成されているので次ぎに記載する効果を奏する。
【００１０】  ▲１▼糊代の折り畳み部（８）を指で起こし、ストローの吸い口（７）を封印しているテープ（５）のつまみ（６）を剥がすだけで紙パック（３）の栓は開放され、すぐに飲む事ができますので面倒な手間が省けとても便利です。
【００１１】  ▲２▼ストローを紙パック（３）の外から差し込む場合、特に車内などではなかなか旨くパックの穴に差し込む事ができず失敗することがありましたが、紙パックとストローを一体化した当考案の紙パック（３）は、飲料をこぼして手や衣服を汚すことがない。
【００１２】  ▲３▼紙パック（３）を手前に傾けて紙パックの角度を調整することにより、飲料を残らず吸飲出来る。
【００１３】
【図面の簡単な説明】
【００１４】
【図１】  パックの口の開封状態を示す斜視図
【図２】  パックの口が閉じられた状態を示す斜視図
【図３】  紙パックの斜視図
【図４】  紙パックの斜視図
【図５】  紙パックの斜視図
【図６】  紙パックの平面図
【図７】  紙パックの右側面図
【図８】  紙パックの左側面図
【図９】  紙パックの断面図
【符号の説明】  １    糊代
２    折り目
３    紙パック
４    ストロー
５    テープ
６    つまみ
７    吸い口
８    折り畳み部
９    接合部
１０  パックの口
１１  ストローの先
【図１】
0003185648.tif 000003
【図２】
0003185648.tif 000004
【図３】
0003185648.tif 000005
【図４】
0003185648.tif 000006
【図５】
0003185648.tif 000007
【図６】
0003185648.tif 000008
【図７】
0003185648.tif 000009
【図８】
0003185648.tif 000010
【図９】
0003185648.tif 000011
【手続補正書】
【提出日】平成25年1月18日(2013.1.18)
【手続補正１】
【補正対象書類名】実用新案登録請求の範囲
【補正対象項目名】全文
【補正方法】変更
【補正の内容】
【実用新案登録請求の範囲】
【請求項１】
牛乳やジュース等の飲料に用いられる紙パックにおいて、前記紙パックの口を糊代部分において封止する際に、ストローを、前記紙パックに差し込み、前記糊代部分に接着することで、前記ストローと、前記紙パックを一体化したことを特徴とする紙パック。
【請求項２】
前記紙パックを封止した際に、前記紙パックに添うように延出し、前記紙パックの折り目に達した前記ストローを、前記折り目から反対側に折り返し、テープで封止したことを特徴とする請求項１記載の紙パック。